(57)【要約】【課題】通気開口部を開閉する開閉体を簡単に閉じることができるドアを提供する。【解決手段】ドア本体２と開閉体３を備える。ドア本体２にその厚み方向に貫通する通気開口部２０が設けられる。通気開口部２０に開閉体３が通気開口部２０を閉じる閉位置と通気開口部２０を開く開位置との間で回動自在に設けられる。ドア本体２に、所定開き角度まで閉じられた開閉体３に付勢力を付与して閉位置まで回動させる付勢部材９５が設けられる。【選択図】図１
2015028286.tif 000002
【特許請求の範囲】
【請求項１】
ドア本体と、開閉体を備え、前記ドア本体にその厚み方向に貫通する通気開口部が設けられ、この通気開口部に前記開閉体が前記通気開口部を閉じる閉位置と前記通気開口部を開く開位置との間で回動自在に設けられ、前記ドア本体に、所定開き角度まで閉じられた前記開閉体に付勢力を付与して前記閉位置まで回動させる付勢部材が設けられたことを特徴とするドア。
【請求項２】
前記開閉体が前記ドア本体に対して縦軸回りに回動自在に設けられたことを特徴とする請求項１に記載のドア。
【請求項３】
前記ドア本体に前記開閉体の閉方向の回動動作を緩衝するダンパーが設けられたことを特徴とする請求項１又は請求項２に記載のドア。
【請求項４】
前記開閉体が縦長で透光性を有する採光パネルであることを特徴とする請求項１乃至３のいずれか１項に記載のドア。
【請求項５】
前記開閉体が前記ドア本体に対して縦軸回りに回動自在に設けられ、前記ドア本体の厚み方向を前後方向と定義し、前記開閉体に、前記開閉体の回動中心から外れた位置に配置されて前記開閉体が開方向に回動するときに前側に移動し前記開閉体が閉方向に回動するときに後側に移動する連動部が設けられ、前記ドア本体に当該ドア本体の幅方向に移動可能で前記ドア本体の幅方向において前記連動部と並べて配置される押圧体が設けられ、前記付勢部材がその付勢力を前記ドア本体の幅方向に生じさせて前記押圧体を前記連動部側に付勢するものであり、前記押圧体は前記連動部側に臨む押圧面を有し、この押圧面が、後方程前記連動部と反対側に位置するように傾斜した第一面部と、この第一面部の前側に位置して前方程前記連動部と反対側に位置するように傾斜した第二面部と、前記第一面部と前記第二面部を連続させる中間面部とで構成され、前記開閉体が前記開位置に配置されたときに前記連動部が前記第二面部によって前側に押圧され、前記開閉体が前記所定開き角度まで閉じられたときに前記連動部が前記中間面部を乗り越えて前記第一面部に至り、この第一面部によって後側に押し動かされて、前記開閉体が前記閉位置まで回動されるようにし、前記中間面部が前記押圧面における前寄りの位置に形成されたことを特徴とする請求項１乃至４のいずれか１項に記載のドア。
【請求項６】
通気開口部に開閉体が前記通気開口部を閉じる閉位置と前記通気開口部を開く開位置との間で回動自在に設けられた換気装置であって、前記通気開口部の開通方向を前後方向と定義し、前記開閉体に、前記開閉体の回動中心から外れた位置に配置されて前記開閉体が開方向に回動するときに前側に移動し前記開閉体が閉方向に回動するときに後側に移動する連動部が設けられ、前記通気開口部の開口縁部に当該開口縁部に沿った方向に移動可能で前記開口縁部に沿った方向において前記連動部と並べて配置される押圧体が設けられ、この押圧体を前記連動部側に付勢する付勢部材が設けられ、前記押圧体は前記連動部側に臨む押圧面を有し、この押圧面が、後方程前記連動部と反対側に位置するように傾斜した第一面部と、この第一面部の前側に位置して前方程前記連動部と反対側に位置するように傾斜した第二面部と、前記第一面部と前記第二面部を連続させる中間面部とで構成され、前記開閉体が前記開位置に配置されたときに前記連動部が前記第二面部によって前側に押圧され、前記開閉体が閉じられるときに前記連動部が前記付勢部材の付勢力に抗し前記中間面部を乗り越えて前記第一面部に至り、この第一面部によって後側に押圧されて前記開閉体が前記閉位置に配置されるものであることを特徴とする換気装置。
【請求項７】
前記開閉体が縦軸回りに回動自在に設けられるものであることを特徴とする請求項６に記載の換気装置。
【請求項８】
前記通気開口部の開口縁部に設けられて、前記開閉体の回動動作を緩衝するダンパーを備えたことを特徴とする請求項６又は請求項７に記載の換気装置。
【請求項９】
前記付勢部材が、所定開き角度まで閉じられた前記開閉体をこれに付勢力を付与して前記閉位置まで回動させるものであって、前記中間面部が前記押圧面における前寄りの位置に形成されたことを特徴とする請求項６乃至８のいずれか１項に記載の換気装置。
【発明の詳細な説明】
【技術分野】
【０００１】
本発明は、通気開口部を有するドア及び換気装置に関する。
【背景技術】
【０００２】
特許文献１には、ドア用換気装置が開示されている。このドア用換気装置は、ドアに形成された換気口を開閉するルーバーを有している。
【先行技術文献】
【特許文献】
【０００３】
【特許文献１】特開２００５−３３６８０９号公報
【発明の概要】
【発明が解決しようとする課題】
【０００４】
特許文献１に開示されるドア用換気装置は、換気口に手指を入れ、この指でルーバーを操作することで換気口を閉じる。ところで、特許文献１に開示されるドア用換気装置は、ルーバーの操作を容易にするために、ルーバーの外面に指を掛けるための凹溝が形成されている。しかしながら、依然としてルーバーを閉じる作業には手間を要し、改善の余地がある。
【０００５】
本発明は前記事情に鑑みてなされたものであって、通気開口部を開閉する開閉体を簡単に閉じることができるドア及び換気装置を提供することを課題とする。
【課題を解決するための手段】
【０００６】
上記課題を解決するために本発明のドアは、ドア本体の厚み方向に貫通する通気開口部が設けられ、この通気開口部に開閉体が前記通気開口部を閉じる閉位置と前記通気開口部を開く開位置との間で回動自在に設けられ、前記ドア本体に、所定開き角度まで閉じられた前記開閉体に付勢力を付与して前記閉位置まで回動させる付勢部材が設けられたことを特徴とする。
【０００７】
また、前記開閉体が前記ドア本体に対して縦軸回りに回動自在に設けられることが好ましい。
【０００８】
また、前記ドア本体に前記開閉体の閉方向の回動動作を緩衝するダンパーが設けられることが好ましい。
【０００９】
また、前記開閉体が縦長で透光性を有する採光パネルであることが好ましい。
【００１０】
また、前記開閉体が前記ドア本体に対して縦軸回りに回動自在に設けられ、前記ドア本体の厚み方向を前後方向と定義し、前記開閉体に、前記開閉体の回動中心から外れた位置に配置されて前記開閉体が開方向に回動するときに前側に移動し前記開閉体が閉方向に回動するときに後側に移動する連動部が設けられ、前記ドア本体に当該ドア本体の幅方向に移動可能で前記ドア本体の幅方向において前記連動部と並べて配置される押圧体が設けられ、前記付勢部材がその付勢力を前記ドア本体の幅方向に生じさせて前記押圧体を前記連動部側に付勢するものであり、前記押圧体は前記連動部側に臨む押圧面を有し、この押圧面が、後方程前記連動部と反対側に位置するように傾斜した第一面部と、この第一面部の前側に位置して前方程前記連動部と反対側に位置するように傾斜した第二面部と、前記第一面部と前記第二面部を連続させる中間面部とで構成され、前記開閉体が前記開位置に配置されたときに前記連動部が前記第二面部によって前側に押圧され、前記開閉体が前記所定開き角度まで閉じられたときに前記連動部が前記中間面部を乗り越えて前記第一面部に至り、この第一面部によって後側に押し動かされて、前記開閉体が前記閉位置まで回動されるようにし、前記中間面部が前記押圧面における前寄りの位置に形成されることが好ましい。
【００１１】
また、本発明の換気装置は、通気開口部に開閉体が前記通気開口部を閉じる閉位置と前記通気開口部を開く開位置との間で回動自在に設けられた換気装置であって、前記通気開口部の開通方向を前後方向と定義し、前記開閉体に、前記開閉体の回動中心から外れた位置に配置されて前記開閉体が開方向に回動するときに前側に移動し前記開閉体が閉方向に回動するときに後側に移動する連動部が設けられ、前記通気開口部の開口縁部に当該開口縁部に沿った方向に移動可能で前記開口縁部に沿った方向において前記連動部と並べて配置される押圧体が設けられ、この押圧体を前記連動部側に付勢する付勢部材が設けられ、前記押圧体は前記連動部側に臨む押圧面を有し、この押圧面が、後方程前記連動部と反対側に位置するように傾斜した第一面部と、この第一面部の前側に位置して前方程前記連動部と反対側に位置するように傾斜した第二面部と、前記第一面部と前記第二面部を連続させる中間面部とで構成され、前記開閉体が前記開位置に配置されたときに前記連動部が前記第二面部によって前側に押圧され、前記開閉体が閉じられるときに前記連動部が前記付勢部材の付勢力に抗し前記中間面部を乗り越えて前記第一面部に至り、この第一面部によって前記連動部が後側に押圧されることで、前記開閉体が前記閉位置に配置されたことを特徴とする。
【００１２】
また、前記開閉体が縦軸回りに回動自在に設けられるものであることが好ましい。
【００１３】
また、換気装置は、前記通気開口部の開口縁部に設けられて、前記開閉体の回動動作を緩衝するダンパーを備えることが好ましい。
【００１４】
また、前記付勢部材が、所定開き角度まで閉じられた前記開閉体をこれに付勢力を付与して前記閉位置まで回動させるものであって、前記中間面部が前記押圧面における前寄りの位置に形成されることが好ましい。
【発明の効果】
【００１５】
本発明にあっては、利用者によって開閉体が所定の開き角度まで閉じられると、開閉体は付勢部材の付勢力によって閉位置まで自動的に回動する。このため、利用者は簡単に開閉体を閉じることができる。
【図面の簡単な説明】
【００１６】
【図１】本発明の実施形態のドアの開閉体が設けられた通気開口部における水平断面図であり、（ａ）は開閉体を閉位置に配置した状態を示し、（ｂ）は開閉体を開位置に配置した状態を示している。
【図２】同上のドアの正面図である。
【図３】同上のドアの要部斜視図である。
【図４】同上のドアの分解斜視図である。
【図５】図４の拡大図である。
【図６】同上の上側の軸受ユニットの斜視図である。
【図７】同上の軸受ユニットの分解斜視図である。
【図８】同上の軸受ユニットの動作を示す説明図であり、（ａ）は開閉体が閉位置に配置されたときの状態を示し、（ｂ）は開閉体が閉位置と開位置の間に配置されたときの状態を示し、（ｃ）は開閉体が開位置に配置されたときの状態を示している。
【図９】他例のドアの通気開口部における水平断面図である。
【図１０】さらに他例のドア通気開口部における水平断面図である。
【発明を実施するための形態】
【００１７】
以下、添付図面に基づいて本発明の実施形態につき説明する。図２は本実施形態のドア１の正面図である。ドア１は、建物内に設けられる室内ドアであって、部屋の出入口を開閉するために建物の内部を仕切る建具として用いられる。具体的に、ドア１は、図示しないドア枠により構成された建物開口部に回動自在に設けられる開き戸である。なお、以下では、ドア１の厚み方向を前後方向、幅方向を左右方向として説明する。
【００１８】
ドア１には開通方向を前後方向とした通気開口部２０が形成されている。通気開口部２０には換気装置４が設けられている。
【００１９】
具体的にドア１はドア本体２を備えている。ドア本体２の戸先側には、縦長の通気開口部２０がドア本体２の上下方向の略全長に亘るように上下に２つ並べて形成されている。各通気開口部２０には、換気装置４が設けられている。
【００２０】
各換気装置４は、開閉体３と、軸受ユニット９（図４参照）を備えている。各換気装置４の開閉体３は縦長であり、通気開口部２０に設けられている。各開閉体３は、対応する通気開口部２０を開閉することができるように、ドア本体２に対して回動自在に設けられている。上下の開閉体３のうちの一方の開閉体３を選択的に開くことで、プライベート性を確保しながら通気が行えるようになっている。なお、ドア本体２に設けられる開閉体３の数は二枚に限られるものではない。例えば、開閉体３は、ドア本体２の上下方向の略全長に亘るように、一枚あるいは三枚以上設けられてもよい。
【００２１】
各開閉体３は、図１（ａ）に示される閉位置から、図１（ｂ）に示される開位置までの範囲で回動できるように、ドア本体２に縦軸回りに回動自在に取り付けられている。ここで、縦軸回りとは、開閉体３の回動軸方向が縦方向（上下方向）と平行であることを意味する。なお、以下の説明では、特に記載する場合を除き、図１（ａ）に示されるように、開閉体３が通気開口部２０を閉じる閉位置に配置されたときの方向を基準にして説明する。すなわち、開閉体３の厚み方向を前後方向とし、開閉体３の幅方向を左右方向として説明する。
【００２２】
各開閉体３の上下長さは、対応する通気開口部２０の上下長さと略同じ長さである。各開閉体３の厚みは、ドア本体２の厚みよりも小さい。各開閉体３の幅は、対応する通気開口部２０の幅よりもやや小さい。
【００２３】
本実施形態の各開閉体３は、透光性を有する採光パネルで構成されている。各開閉体３は、図５に示されるように、透光性を有する縦長平板状の透光板３０と、透光板３０の四周を囲んで保持したパネル枠５とで構成されている。
【００２４】
各開閉体３の透光板３０はガラス板である。詳しくは、各開閉体３の透光板３０は、二枚の板ガラスが合成樹脂膜を介して接着された合わせガラスである。合わせガラスは、帯電性が低い。このため、開閉体３には、埃やごみ等が付き難くなっている。なお、透光板３０は合わせガラスに限られず、一枚の板ガラスであってもよい。また、透光板３０は、アクリル樹脂等のその他の透明な材料で形成されてもよい。
【００２５】
各開閉体３の透光板３０は、縦長矩形状に形成されている。また、各開閉体３の透光板３０は、図１に示されるように、その水平断面形状が横長の矩形状に形成されている。
【００２６】
各開閉体３のパネル枠５は、図５に示されるように、左右の縦枠材５０及び上下の横枠材５１で構成されている。左右の縦枠材５０及び上下の横枠材５１は、縦長矩形状に枠組みされている。
【００２７】
各縦枠材５０は、開閉体３の側縁部を構成している。各縦枠材５０は、金属製であって、例えばアルミニウム製である。縦長の各縦枠材５０の長さは、透光板３０の長さと略同じである。
【００２８】
各縦枠材５０の水平断面形状は、上下方向に亘って一様である。各縦枠材５０は、図１（ａ）に示されるように透光板３０側に開口した溝状（略Ｃ字状）に形成されている。各縦枠材５０は、溝奥部を構成する主部５００と、主部５００の前後両端部から透光板３０側に突出した縁部５０１で構成されている。
【００２９】
各縦枠材５０の他方の縦枠材５０側の面である内側面には、他方の縦枠材５０側に開口した縦溝部５０２が上下方向に亘って形成されている。各縦枠材５０の縦溝部５０２は、溝奥部が主部５００の他方の縦枠材５０側の面で構成され、溝側面が両縁部５０１の対向面で構成されている。各縦枠材５０は、縦溝部５０２に透光板３０の側端部を嵌め込むことで、透光板３０に嵌め付けられている。
【００３０】
各縦枠材５０の主部５００の厚み（前後寸法）は、透光板３０側から離れる程小さくなっている。主部５００の表面部となる前面部及び後面部は、透光板３０側から離れる程互いに近づくように傾斜した傾斜面部５０３となっている。各縦枠材５０の前後の縁部５０１の表面部分５０４は、縦溝部５０２の溝幅方向（前後方向）に対して直交している。
【００３１】
各縦枠材５０が透光板３０に嵌め付けられた状態では、各縦枠材５０の前後の縁部５０１の表面部分５０４は、透光板３０の両面と平行になる。各開閉体３は、図１（ｂ）に示される開位置に配置されたとき、ドア本体２の幅方向に対して傾斜する。このとき、戸先側の縦枠材５０の前側の傾斜面部５０３は、ドア本体２の前面と平行且つ面一になる。また、吊元側の縦枠材５０の後側の傾斜面部５０３がドア本体２の後面と平行且つ面一になる。
【００３２】
各縦枠材５０の上端部及び下端部には、ビスねじ込み部が形成されている。本実施形態では、縦溝部５０２の溝奥面に水平断面Ｃ字状のビスポケット５０５が上下方向に亘って形成されている。そして、ビスポケット５０５の上下両端部によってビスねじ込み部が構成されている。
【００３３】
図５に示されるように、横長の横枠材５１は、両縦枠材５０の上端部間及び下端部間に架け渡されている。各横枠材５１の長さ方向の両端部には、上下に貫通するビス用孔（不図示）が形成されている。各横枠材５１には、透光板３０側に開口した横溝部（不図示）が左右方向に亘って形成されている。
【００３４】
各横枠材５１は、前記横溝部に透光板３０の長手方向の端部を嵌め込むことで、透光板３０に嵌め付けられている。各横枠材５１の前記各ビス用孔には、上下方向における透光板３０側とは反対側からビス５２が通されている。これらビス５２は、対応する縦枠材５０の前記ビスねじ込み部にねじ込まれている。これにより、各横枠材５１は、両縦枠材５０に取り付けられている。つまり、透光板３０は、左右両端部がパネル枠５の縦溝部５０２に嵌め込まれ、上下両端部がパネル枠５の前記横溝部に嵌め込まれている。また、透光板３０は、左右の縦枠材５０で挟まれ且つ上下の横枠材５１で挟まれることで、パネル枠５に保持されている。
【００３５】
上下の横枠材５１の透光板３０と反対側の外面における横枠材５１の長手方向の中間部には、透光板３０と反対側に突出した軸部５１０が形成されている。これら軸部５１０は、その軸心が透光板３０の水平断面における中心を通る中心線と一致して開閉体３の回動軸を構成している。すなわち、これら軸部５１０は、ドア本体２に対して縦軸回りに回動自在に支持される被支持部として機能する。
【００３６】
各開閉体３は、上下の軸部５１０が通気開口部２０の上下に設けられた軸受部で回動自在に支持されることで、ドア本体２に対して縦軸回りに回動自在に取り付けられている。
【００３７】
ドア本体２は、図４に示される、左右のドア材６と、両ドア材６を連結する連結材７とで構成されている。
【００３８】
両ドア材６は縦長の矩形板状に形成されている。戸先側のドア材６は、ドア本体２の戸先側の端部を構成している。吊元側のドア材６は、戸先側のドア材６よりも幅が広く、ドア本体２の戸先側部分を除く過半部を構成している。
【００３９】
両ドア材６は、図２に示されるように、互いの上端部、下端部、及び中間部が横長棒状の連結材７によって連結されている。これにより、ドア本体２には、縦長矩形状の通気開口部２０が２つ形成されている。以下、特に区別する場合には、上側の連結材７、下側の連結材７、及びその間の連結材７を夫々、上連結材７０、下連結材７１、及び中間連結材７２と記載する。
【００４０】
上側の通気開口部２０は、上連結材７０、中間連結材７２、及び左右のドア材６の上部で囲まれている。上側の通気開口部２０の上縁部は上連結材７０で構成され、上側の通気開口部２０の下縁部は中間連結材７２で構成されている。上側の通気開口部２０の左右の縁部は、左右のドア材６で構成されている。
【００４１】
下側の通気開口部２０は、中間連結材７２、下連結材７１、及び左右のドア材６の下部で囲まれている。下側の通気開口部２０の上縁部は中間連結材７２で構成され、下側の通気開口部２０の下縁部は下連結材７１で構成されている。下側の通気開口部２０の左右の縁部は、左右のドア材６で構成されている。
【００４２】
両ドア材６は、いわゆるフラッシュ構造を有する板状のパネル材である。すなわち、両ドア材６は、図１に示されるように芯材６４の表面を表面材６５で被覆したものである。各ドア材６の芯材６４は木製であり、正面視矩形状の枠体で構成されている。
【００４３】
各ドア材６の表面材６５は、板材６５０と、板材６５０の表面に積層された化粧シート６５１を備えている。化粧シート６５１は、合成樹脂製でその表面には木目模様が施されている。各ドア材６の表面材６５の板材６５０の裏面には、折曲溝が形成されている。各ドア材６の表面材６５は、前記折曲溝を境にして折り曲げることで、芯材６４の外周面に沿って設けられている。なお、ドア材６は、水平断面矩形状の板を芯材としたものや、無垢材等であってもよい。
【００４４】
各ドア材６の上下両端面には、図５に示されるように、他方のドア材６側に開口する嵌込溝部６２が形成されている。嵌込溝部６２は、図３に示されるように、上連結材７０や下連結材７１を嵌め込む部分となる。
【００４５】
各ドア材６の他方のドア材６側の側面には、縦長の凹溝部６３（図１参照）が形成されている。各凹溝部６３は、ドア材６の嵌込溝部６２が形成された上下両端部を除く部分に亘って形成されている。各凹溝部６３は、ドア材６の厚み方向における中間部に形成されている。
【００４６】
図５に示された中間連結材７２は、無垢材、あるいは、ドア材６と同様のパネル材等で形成されている。中間連結材７２の両側端面には、ダボ７２０が複数設けられている。図示例では、中間連結材７２の両側端面の上下に、ダボ７２０が設けられている。
【００４７】
中間連結材７２の両側端部は凹溝部６３の長さ方向の中間部に形成された幅広の凹所６３０に嵌め込まれている。中間連結材７２の各ダボ７２０は、対応する凹所６３０の奥部に形成されたダボ穴（不図示）に嵌め込まれている。これにより、両ドア材６の上下方向の中間部同士が中間連結材７２によって連結されている。
【００４８】
図１（ａ）に示されるように、各通気開口部２０の両側面には、縁隠し材８が取り付けられている。各縁隠し材８は、対応する通気開口部２０の上下方向の全長に亘っている。各縁隠し材８は合成樹脂製である。各縁隠し材８の表面には木目模様が施されている。なお、各縁隠し材８は、合成樹脂製に限られず、例えば木製であってもよい。
【００４９】
各縁隠し材８の水平断面形状は、上下方向に亘って一様である。各縁隠し材８は、幅方向の一端部を凹溝部６３に嵌め込んで接着することにより、ドア材６に取り付けられている。
【００５０】
各縁隠し材８の厚みは、開閉体３（パネル枠５）の厚みと略同じで且つドア本体２（ドア材６）の厚みよりも小さくなっている。各縁隠し材８は、ドア本体２の厚みの範囲内に納められている。このようにすることで、通気開口部２０を開いたときに縁隠し材８を小さくて通気の邪魔になり難くすることができる。なお、各縁隠し材８の厚みは、十分な通気量を確保するため、ドア本体２の厚みの１／２以下とすることが好ましい。
【００５１】
各通気開口部２０の両側の縁隠し材８は、ドア本体２の厚み方向における中間部に位置し、互いに対向している。
【００５２】
各縁隠し材８の凹溝部６３と反対側の部分は、通気開口部２０の側面から通気開口部２０の幅方向における内側に向かって突出している。各縁隠し材８には、開閉体３側に突出した突出部８０が形成されている。
【００５３】
各通気開口部２０の両側の縁隠し材８のうち、戸先側の縁隠し材８の突出部８０は、縁隠し材８の後部から開閉体３側に向かって突出している。他方、吊元側の縁隠し材８の突出部８０は、縁隠し材８の前部から開閉体３側に向かって突出している。
【００５４】
図１（ａ）に示されるように、閉位置に配置された開閉体３は、ドア本体２の幅方向（ドア材６の幅方向）と平行になる。このとき、両縦枠材５０は、対応する縁隠し材８の突出部８０の突端部と前後方向から見て重なる。これにより、通気開口部２０の戸先側の側面と開閉体３の間の隙間は、戸先側の縁隠し材８によって塞がれる。また、通気開口部２０の吊元側の側面と開閉体３の間の隙間は、吊元側の縁隠し材８によって塞がれる。従って、この場合は、通気開口部２０の略全体が開閉体３で閉塞されることとなり、通気開口部２０による部屋の換気は行われない。また、このように開閉体３が閉じられた状態にあるときには、ドア１を前後方向から見たときに、通気開口部２０を通してドア１の反対側が見え難くなる。
【００５５】
各通気開口部２０の両側の縁隠し材８のうち、戸先側の縁隠し材８の突出部８０の前面は、吊元側に行く程後方に位置するように傾斜した斜面部８１になっている。また、吊元側の縁隠し材８の突出部８０の後面は、戸先側に行く程前方に位置するように傾斜した斜面部８１になっている。
【００５６】
図１（ａ）に示されるように、各開閉体３が閉位置に配置されたとき、戸先側の縦枠材５０の後側の傾斜面部５０３は、戸先側の縁隠し材８の斜面部８１と略平行になり、この斜面部８１に対向して面接触する。また、吊元側の縦枠材５０の前側の傾斜面部５０３は、吊元側の縁隠し材８の斜面部８１と略平行になり、同斜面部８１に対向して面接触する。従って、各開閉体３が閉位置に配置されたときには、開閉体３と縁隠し材８の密着性を高めて、通気を確実に遮断することが可能になる。
【００５７】
中間連結材７２の上面及び下面の夫々の中央部には、図５に示されるように、挿入穴７２１が形成されている。上下の開閉体３のうちの上側の開閉体３は、下側の軸部５１０が中間連結材７２の上面に形成された挿入穴７２１に挿入されて回動自在に支持されている。また、図示は省略するが、下側の開閉体３は、中間連結材７２の下面に形成された挿入穴に挿入されて回動自在に支持されている。すなわち、本実施形態では、中間連結材７２の上下の挿入穴７２１の周縁部によって、開閉体３の中間連結材７２側の軸部５１０を受ける軸受部が構成されている。
【００５８】
上連結材７０及び下連結材７１は、左右に長いフレーム材７３の外面部を、化粧シート材７４（幕板）で被覆したものである。
【００５９】
上連結材７０及び下連結材７１の夫々のフレーム材７３は、金属製である。具体的に、上連結材７０及び下連結材７１の夫々のフレーム材７３は、アルミニウム製の押出形材である。このように上連結材７０及び下連結材７１が金属製の形材を備えることで、上連結材７０及び下連結材７１を強度の高いものにすることができる。
【００６０】
上連結材７０及び下連結材７１の夫々のフレーム材７３は、垂直断面形状が略矩形枠状に形成されている。
【００６１】
上連結材７０及び下連結材７１の夫々の化粧シート材７４は合成樹脂製である。化粧シート材７４は、上連結材７０及び下連結材７１の夫々の前後面に取り付けられている。上連結材７０及び下連結材７１の夫々の表面には、木目模様が施されている。このため、上連結材７０及び下連結材７１は、ドア材６に模した木目調の外観を有している。
【００６２】
上連結材７０及び下連結材７１の夫々のフレーム材７３には、ドア１の付加ユニットとして、図４に示される軸受ユニット９が内装されている。すなわち、軸受ユニット９は各通気開口部２０の開口縁部に設けられている。
【００６３】
上側の開閉体３の上側の軸部５１０は、上連結材７０に設けられた軸受ユニット９に回動自在に支持されている。下側の開閉体３の下側の軸部５１０は、下連結材７１に設けられた軸受ユニット９に回動自在に支持されている。
【００６４】
両軸受ユニット９は、上下対称である。図６及び図７には、上連結材７０に設けられる軸受ユニット９が図示されている。
【００６５】
各軸受ユニット９は、ケーシング９０、アーム９３、ダンパー９４、付勢部材９５（弾性体）、押圧体９６、及び可動体９７を備えている。アーム９３、ダンパー９４、付勢部材９５、押圧体９６、及び可動体９７は、ケーシング９０に内装されている。
【００６６】
ケーシング９０は、左右に長い矩形箱状に形成されている。上側の軸受ユニット９のケーシング９０は、その長さ方向を上連結材７０の長さ方向と平行にして上連結材７０に内装されている。下側の軸受ユニット９のケーシング９０は、その長さ方向を下連結材７０の長さ方向と平行にして下連結材７０に内装されている。すなわち、各軸受ユニット９は、通気開口部２０の開口縁部に沿って設けられている。
【００６７】
ケーシング９０は、開閉体３側の面部を構成する板状のベース９１と、開閉体３側に開口した箱状でベース９１に被せ付けられるカバー９２とで構成されている。
【００６８】
図７に示されるように、ベース９１の内面には、略扇状（略三角形状）の凹部９１１が形成されている。凹部９１１の内周面の一部は、水平断面形状が戸先側に開いた略Ｖ字状となる回動規制面９１２を構成している。凹部９１１の底部における吊元側の端部（略Ｖ字状の回動規制面９１２の角部側の端部）には、ベース９１を上下に貫通する挿通孔９１０が形成されている。
【００６９】
図示は省略するが、上側の開閉体３の上側の軸部５１０は、上連結材７０の下面部を通して上連結材７０内の軸受ユニット９の挿通孔９１０に挿通され、当該軸受ユニット９の凹部９１１内に突出している。これにより、当該軸部５１０は、上側の軸受ユニット９により回動自在に支持されている。
【００７０】
下側の開閉体３の下側の軸部５１０は、下連結材７１の上面部を通して軸受ユニット９の挿通孔９１０に挿通され、当該軸受ユニット９の凹部９１１内に突出している。これにより、当該軸部５１０は、下側の軸受ユニット９により回動自在に支持されている。すなわち、本実施形態では、各軸受ユニット９の挿通孔９１０の周縁部によって、開閉体３の中間連結材７２と反対側の軸部５１０を受ける軸受部が構成されている。
【００７１】
凹部９１１には、アーム９３が配置されている。アーム９３の長さ方向の一端部には、連結孔９３０が形成されている。連結孔９３０には、開閉体３の中間連結材７２と反対側の軸部５１０が挿入され、当該軸部５１０はアーム９３に対して固定されている。これにより、アーム９３は、開閉体３の軸部５１０と共に回動するようになっている。
【００７２】
アーム９３の回動範囲は、凹部９１１の回動規制面９１２によって規制される。つまり、本実施形態では、軸受ユニット９の回動規制面９１２が、開閉体３の回動範囲を規制する回動規制手段を構成している。アーム９３の回動範囲は、回動規制面９１２によって開閉体３がドア本体２の厚みの範囲内に納まるように規制される。
【００７３】
各開閉体３が閉位置に配置されたとき、対応する軸受ユニット９のアーム９３は、図８（ａ）に示されるように回動規制面９１２の後側の面に当接し、後側に回動不能になる。このように閉位置に配置された開閉体３は、図１（ａ）に示されるようにドア本体２の厚み方向の中心部に配置される。
【００７４】
各開閉体３が開位置に配置されたとき、対応する軸受ユニット９のアーム９３は、図８（ｃ）に示されるように回動規制面９１２の前側の面に当接し、前側に回動不能になる。このように開位置に配置された開閉体３は、図１（ｂ）に示されるように、ドア本体２の厚み方向の両端に位置する傾斜面部５０３のうち、前側に位置する一方の傾斜面部５０３が、ドア本体２の前面と前後方向において同位置に配置される。また、後側に位置する他方の傾斜面部５０３が、ドア本体２の後面と前後方向において同位置に配置される。また、開位置に配置された開閉体３は、ドア本体２の厚みの範囲内に納められる。
【００７５】
図７に示されるように、各軸受ユニット９のアーム９３の連結孔９３０と反対側の端部には、上下方向において開閉体３と反対側に突出した連動部９３１が設けられている。各軸受ユニット９の連動部９３１は、開閉体３の回動中心よりも戸先側にずれた位置に配置されている。各軸受ユニット９の連動部９３１は円筒状に形成されており、水平断面円形の外周面を有している。
【００７６】
各軸受ユニット９の連動部９３１は、対応する開閉体３が縦軸回りに回動したとき、軸部５１０を中心にしてアーム９３と共に縦軸回りに回動する。具体的には、各軸受ユニット９の連動部９３１は、開閉体３の開方向への回動時には前側に移動し、開閉体３の閉方向への回動時には後側に移動する。
【００７７】
各軸受ユニット９の付勢部材９５は、図８に示されるように、連動部９３１の戸先側に配置されている。各軸受ユニット９の付勢部材９５は、左右方向（すなわち、通気開口部２０の開口縁部に沿う方向）に長く伸縮方向が左右方向と平行なコイルばねで構成されている。
【００７８】
各軸受ユニット９の付勢部材９５の吊元側端部には、押圧体９６が取り付けられている。各軸受ユニット９の押圧体９６は、連動部９３１と左右方向において並べて配置されている。各軸受ユニット９の押圧体９６は、左右方向に移動自在に設けられている。各軸受ユニット９の付勢部材９５は、戸先側がカバー９２によって支持されている。各軸受ユニット９の付勢部材９５は、押圧体９６を常時吊元側（連動部９３１側）にばね付勢している（弾性力を付与している）。
【００７９】
各軸受ユニット９の押圧体９６の吊元側に臨む面は、連動部９３１を押圧する押圧面９６０を構成している。押圧面９６０は、第一面部９６１と第一面部９６１よりも前側に位置した第二面部９６２とを備えている。第一面部９６１は、後方程戸先側に位置するように傾斜している。第二面部９６２は、前方程戸先側に位置するように傾斜している。
【００８０】
各軸受ユニット９の押圧面９６０は、さらに、中間面部９６３を備えている。中間面部９６３は、水平断面形状が吊元側に凸となる弧状に形成されている。中間面部９６３は、第一面部９６１と第二面部９６２を連続させている。第一面部９６１は、第二面部９６２よりも前後方向の長さが長くなっている。中間面部９６３は、第一面部９６１、第二面部９６２、及び中間面部９６３で構成された押圧面９６０において前寄りの位置に形成されている。
【００８１】
各開閉体３が閉位置に配置された状態では、図８（ａ）に示されるように、対応する軸受ユニット９のアーム９３の連動部９３１が第一面部９６１の後端部に当接する。この連動部９３１は、付勢部材９５により付勢された押圧体９６の第一面部９６１によって後側に押圧される。このため、アーム９３は、回動規制面９１２の後側の面に押し付けられ、開閉体３は閉位置で保持される。
【００８２】
利用者が、閉位置に配置された開閉体３を開き方向（平面視左回り）に回動させると、アーム９３は軸部５１０を中心にして前側に回動する。これに伴い、連動部９３１は押圧体９６を付勢部材９５の付勢力に抗して戸先側に押し込みながら前側に移動し、押圧体９６の中間面部９６３を乗り越える。そして、開閉体３が開位置に配置された時点で、連動部９３１は図８（ｃ）に示されるように第二面部９６２に当接する。このように開閉体３が開位置に配置された状態では、連動部９３１が付勢部材９５により吊元側に付勢された押圧体９６の第二面部９６２によって前側に押圧される。このため、アーム９３は回動規制面９１２の前側の面に押し付けられ、開閉体３は開位置で保持された状態となる。
【００８３】
利用者が開位置に配置された開閉体３を閉じ方向（平面視右回り）に回動させると、アーム９３は軸部５１０を中心にして後側に回動する。これに伴い、連動部９３１は押圧体９６を付勢部材９５の付勢力に抗して戸先側に押し込みながら後側に移動し、押圧体９６の中間面部９６３を乗り越える。そして、開閉体３が所定開き角度まで閉じられた時点で、連動部９３１は第一面部９６１の前端部に当接する位置に至る。このように連動部９３１が第一面部９６１の前端部に当接すると、付勢部材９５によって吊元側に付勢された押圧体９６の第一面部９６１によって連動部９３１が後側に押し動かされ、アーム９３は軸部５１０を中心に後側に回動する。この付勢部材９５によるアーム９３の回動は、連動部９３１が第一面部９６１の後端部に至ってアーム９３が回動規制面９１２の後側の面に当接するまで、すなわち、開閉体３が閉位置に配置されるまで行われる。つまり、所定開き角度まで閉じられた開閉体３は、付勢部材９５の付勢力によって閉位置まで自動的に回動する。
【００８４】
ここで、押圧体９６、及び連動部９３１が設けられたアーム９３は、付勢部材９５のドア本体２の幅方向と平行な付勢力の向きを開閉体３の回動方向の成分を含む向きに変換した上で、付勢部材９５の付勢力を開閉体３に伝える付勢力伝達手段を構成する。このため、本実施形態のように付勢部材９５としてドア本体２の幅方向に長いコイルばね等を利用した場合に、付勢部材９５をドア本体２（連結材７）の厚みの範囲内に納めやすくなるといった利点がある。
【００８５】
各軸受ユニット９のダンパー９４は、連動部９３１の吊元側に配置されている。各軸受ユニット９のダンパー９４は、伸縮式のシリンダーダンパーである。詳しくは、各軸受ユニット９のダンパー９４は、ピストン９４０がシリンダー９４１側に押し込まれる方向に移動するときに減衰力を作用させ、且つピストン９４０が伸長状態となる原点に自動で復帰する自動復帰機能を備えたワンウェイ式のオイルダンパーある。
【００８６】
各軸受ユニット９のダンパー９４は、ピストン９４０を戸先側に向けて配置される。各軸受ユニット９のピストン９４０の先端部には、可動体９７が取り付けられている。各軸受ユニット９の可動体９７は、連動部９３１と左右方向において並べて配置されている。各軸受ユニット９の可動体９７の戸先側の面は、連動部９３１が当接する当接面９７０となっている。当接面９７０は、前方程吊元側に位置するように傾斜している。
【００８７】
開閉体３が開位置に配置された状態では、図８（ｃ）に示されるように、ダンパー９４が伸長し、連動部９３１が可動体９７の当接面９７０の前側に配置される。利用者が、開位置に配置された開閉体３を閉位置まで回動させると、アーム９３の回動に伴って、連動部９３１が可動体９７を吊元側に押し込みながら当接面９７０の後側に移動する。このとき、可動体９７と共に吊元側に移動するピストン９４０に対して減衰力が作用する。これにより開閉体３の閉方向の回動動作がダンパー９４によって緩衝される。従って、開閉体３が勢いよく閉じられて大きな音が発生したり、開閉体３やこれを受ける部材が変形したり破損したりすることを防止できる。また、開閉体３が閉じられるときに、開閉体３と通気開口部２０の側面の間に指等が強く挟まれることも防止することができる。
【００８８】
また、利用者が開閉体３を開位置まで回動させると、アーム９３の回動に伴って、連動部９３１が前側に移動し、この際、可動体９７はダンパー９４の復帰力によって連動部９３１に追従して戸先側に移動し、図８（ｃ）に示す状態となる。
【００８９】
ここで、連動部９３１が設けられたアーム９３、及び可動体９７は、開閉体３の回動動作をピストン９４０のドア本体２の幅方向と平行な動作に変換する動作変換手段を構成している。このため、本実施形態のようにダンパー９４としてドア本体２の幅方向に長いシリンダーダンパーを利用して、ダンパー９４をドア本体２（連結材７）の厚みの範囲内に納めやすくなるといった利点がある。
【００９０】
ドア本体２の上連結材７０及び下連結材７１は、図３に示されるように、左右両端部が対応するドア材６の嵌込溝部６２に嵌め込まれてねじ止めされている。上連結材７０の開閉体３と反対側の面は、両側のドア材６の上面と略面一になっている。下連結材７１の開閉体３と反対側の面は、両側のドア材６の下面と略面一になっている。
【００９１】
戸先側のドア材６の前後両面には、図２に示されるように、取手としてレバーハンドル１０（レバー型ドアノブ）が取り付けられている。各レバーハンドル１０は、ドア本体２の上下方向において両通気開口部２０の境界部となる中間連結材７２と同じ位置に配置されている。
【００９２】
各レバーハンドル１０はレバー部１００を備えている。各レバーハンドル１０のレバー部１００は、非回動位置（非使用位置）から回動位置までの範囲で回動自在となっている。各レバーハンドル１０は、レバー部１００を回動位置まで回動することで、ドア１を開く際にドア本体２に設けられたラッチ（不図示）が操作されるように構成されている。また、各レバーハンドル１０のレバー部１００は、例えばばね等で構成された付勢部材によって、回動位置から非回動位置に自動的に復帰されるようになっている。
【００９３】
各レバーハンドル１０のレバー部１００は、前記非回動位置に配置されたとき、吊元側に突出してドア１の幅方向と平行（水平）になる。また、このときレバー部１００の回動軸と反対側の先部は、前後方向において中間連結材７２と重なる位置に配置される。このため、ドア１を正面から見た場合には、レバー部１００の先部の後側に中間連結材７２が位置する。従って、レバーハンドル１０のレバー部１００で開閉体３が隠れ難くなり、開閉体３から光を十分量とり入れることが可能になる。
【００９４】
以上説明した本実施形態のドア１は、ドア本体２と、開閉体３を備えている。ドア本体２にはその厚み方向に貫通する通気開口部２０が設けられている。通気開口部２０には開閉体３が通気開口部２０を閉じる閉位置と通気開口部２０を開く開位置との間で回動自在に設けられている。ドア本体２には、所定開き角度まで閉じられた開閉体３に付勢力を付与して閉位置まで回動させる付勢部材９５が設けられている。このドア１は、開閉体３を開位置に配置することで通気開口部２０を通して部屋の換気を行い、開閉体３を閉位置に配置することで通気開口部２０を塞ぐことができる。また、利用者によって、開閉体３が所定の開き角度まで閉じられると、開閉体３は付勢部材９５の付勢力によって閉位置まで自動的に回動する。このため、利用者は簡単に開閉体３を閉じることができる。
【００９５】
また、開閉体３は、本実施形態のようにドア本体２に対して縦軸回りに回動自在に設けられることが好ましい。横軸回りに回動自在にする場合と比較して、開閉体３に埃やごみ等が付き難くなるからである。
【００９６】
また、ドア本体２には、本実施形態のように、開閉体３の閉方向の回動動作を緩衝するダンパー９４が設けられることが好ましい。このようにすることで、開閉体３が閉じられるときには、開閉体３にダンパー９４の減衰力が作用し、開閉体３はゆっくりと閉位置まで回動するようになる。このため、開閉体３が勢いよく閉じられて大きな音が発生したり、開閉体３やこれを受ける部材が変形したり破損したりすることを防止できる。
【００９７】
また、開閉体３は、本実施形態のように、縦長で透光性を有する採光パネルであることが好ましい。このようにすると、通気開口部２０を開閉する開閉体３を利用して部屋に光をとり入れることができ、通気機能と採光機能の両者を有するドア１にすることができる。また、本実施形態のように開閉体３を縦軸回りに回動自在にしたときには、開閉体３を透して部屋に光を取り入れるときに、開閉体３に積もった埃やごみ等が影となって映り難くすることができる。また、縦軸回りに回動自在な開閉体３を縦長にすることにより、開位置に配置された開閉体３と通気開口部２０の両側面の間に形成される通気用の空間を大きくして十分な通気量を確保することもできる。
【００９８】
また、ドア１は、以下の構成を具備することが好ましい。開閉体３がドア本体２に対して縦軸回りに回動自在に設けられる。開閉体３に、開閉体３の回動中心から外れた位置に配置されて開閉体３が開方向に回動するときに前側に移動し開閉体３が閉方向に回動するときに後側に移動する連動部９３１が設けられる。ドア本体２にドア本体２の幅方向に移動可能でドア本体２の幅方向において連動部９３１と並べて配置される押圧体９６が設けられる。付勢部材９５がその付勢力をドア本体２の幅方向に生じさせて押圧体９６を連動部９３１側に付勢するものである。押圧体９６は連動部９３１側に臨む押圧面９６０を有する。押圧面９６０が、後方程連動部９３１と反対側に位置するように傾斜した第一面部９６１と、第一面部９６１の前側に位置して前方程連動部９３１と反対側に位置するように傾斜した第二面部９６２と、第一面部９６１と第二面部９６２を連続させる中間面部９６３とで構成される。開閉体３が開位置に配置されたときに連動部９３１が第二面部９６２によって前側に押圧されるようにする。開閉体３が所定開き角度まで閉じられたときに連動部９３１が中間面部９６３を乗り越えて第一面部９６１に至り、第一面部９６１によって後側に押し動かされて、開閉体３が閉位置まで回動されるようにする。このようにすることで、簡単な機構により、所定開き角度まで閉じられた開閉体３を閉位置まで回動させることができる。また、前述したように、付勢部材９５としてドア本体２の幅方向に長いコイルばね等を利用した場合に、付勢部材９５をドア本体２の厚みの範囲内に納めやすくなる。なお、本実施形態では、連動部９３１を開閉体３の回動中心よりも戸先側に配置したが、吊元側に配置してもよい。すなわち、この場合は、各軸受ユニット９が本実施形態のものと左右対称なものとなる。
【００９９】
また、中間面部９６３が押圧面９６０における前寄りの位置に形成されることが好ましい。このようにすることで、開位置に配置された開閉体３を閉方向に僅かに回動させるだけで、開閉体３を閉位置まで回動させることができる。
【０１００】
また、本実施形態の換気装置４は、通気開口部２０に開閉体３が通気開口部２０を閉じる閉位置と通気開口部２０を開く開位置との間で回動自在に設けられている。開閉体３には、開閉体３の回動中心から外れた位置に配置されて開閉体３が開方向に回動するときに前側に移動し開閉体３が閉方向に回動するときに後側に移動する連動部９３１が設けられている。通気開口部２０の開口縁部には、当該開口縁部に沿った方向に移動可能で開口縁部に沿った方向において連動部９３１と並べて配置される押圧体９６が設けられている。また、押圧体９６０を連動部９３１側に付勢する付勢部材９５が設けられている。押圧体９６０は連動部９３１側に臨む押圧面９６０を有している。押圧面９６０は、後方程連動部９３１と反対側に位置するように傾斜した第一面部９６１と、第一面部９６１の前側に位置して前方程連動部９３１と反対側に位置するように傾斜した第二面部９６２と、第一面部９６１と第二面部９６２を連続させる中間面部９６３とで構成されている。そして、開閉体３が開位置に配置されたときに連動部９３１が第二面部９６２によって前側に押圧される。また、開閉体３が閉じられるときに連動部９３１が付勢部材９５の付勢力に抗し中間面部９６３を乗り越えて第一面部９６１に至り、第一面部９６１によって後側に押圧されて開閉体３が閉位置に配置される。この換気装置４は、簡単な機構により、開閉体３を閉位置まで回動させることができる。
【０１０１】
また、換気装置４の開閉体３は、本実施形態のように縦軸回りに回動自在に設けられるものであることが好ましい。横軸回りに回動自在にする場合と比較して、開閉体３に埃やごみ等が付き難くなるからである。
【０１０２】
また、換気装置４は、本実施形態のように、通気開口部２０の開口縁部に設けられて、開閉体３の回動動作を緩衝するダンパー９４を備えることが好ましい。
【０１０３】
また、換気装置４は、本実施形態のように、付勢部材９５が所定開き角度まで閉じられた開閉体３をこれに付勢力を付与して閉位置まで回動させるものであり、中間面部９６３が押圧面９６０における前寄りの位置に形成されることが好ましい。このようにすることで、開位置に配置された開閉体３を閉方向に僅かに回動させるだけで、開閉体３を閉位置まで回動させることができる。
【０１０４】
なお、本実施形態では、開閉体３を、透光板３０とパネル枠５で構成したが、図９や図１０に示されるように、パネル枠５を省略し、開閉体３を透光板３０で構成してもよい。すなわち、この場合は、透光板３０の上下両端部に軸部５１０が設けられることとなる。図９、図１０の例では、透光板３０の水平断面形状が平行四辺形であり、開閉体３が開位置に配置されたとき、透光板３０の戸先側の端面がドア本体２の前面と平行且つ面一になり、吊元側の端面がドア本体２の後面と平行且つ面一になるようにしてある。なお、図１０の例では、図９の例と比較して、縁隠し材８の厚みが大きくなっており、ドア本体２の厚みの１／２を超えている。
【０１０５】
また、本実施形態では、開閉体３を透光性を有する採光パネルで構成したが、例えば開閉体３は透光性を有さない部材であってもよい。また、本実施形態では、開閉体３をドア本体２の戸先側に設けたが、吊元側やドア本体２の幅方向中心部に設けてもよい。また、開閉体３は、その一部がドア本体２の厚み方向における外側に位置するものであってもよい。また、付勢部材９５はコイルばね以外の弾性体であってもよい。また、ダンパー９４もオイルダンパーやシリンダーダンパーに限られるものではなく、ロータリーダンパー等、従来から知られている他のダンパーを用いてもよい。
【０１０６】
また、本実施形態では、本発明を開き戸に適用した例について説明したが、開き戸以外の他のドアにも適用可能である。前記他のドアとしては、引き戸（間仕切りとして用いられるものも含む）、クローゼットや押し入れ等の収納の前面に設けられる収納用建具等が挙げられる。また、本発明はドアに限られず、壁等の他の建材にも適用可能である。
【０１０７】
また、換気装置４は通気開口部を備えた他の建材に設けてもよい。ここで、他の建材としては、引き戸（間仕切りとして利用されるものも含む）等の他のドアの他、クローゼットや押し入れ等の収納の前面に設けられる扉、壁等が挙げられる。
【０１０８】
また、この他、本発明は上述した実施形態に限定されるものではなく、本発明の趣旨を逸脱しない範囲内で適宜設計変更可能である。
【符号の説明】
【０１０９】
１  ドア
２  ドア本体
２０  通気開口部
３  開閉体
４  換気装置
９３１  連動部
９４  ダンパー
９５  付勢部材
９６  押圧体
９６０  押圧面
９６１  第一面部
９６２  第二面部
９６３  中間面部
【図１】
2015028286.tif 000003
【図２】
2015028286.tif 000004
【図３】
2015028286.tif 000005
【図４】
2015028286.tif 000006
【図５】
2015028286.tif 000007
【図６】
2015028286.tif 000008
【図７】
2015028286.tif 000009
【図８】
2015028286.tif 000010
【図９】
2015028286.tif 000011
【図１０】
2015028286.tif 000012